(57)【要約】【課題】  ブラシ部に超音波振動を与え、このブラシ部の超音波振動を巧みに利用して当該ブラシ部に含浸された塗布剤を塗布対象の表面に浸透させて定着させることができる超音波振動式塗布具を提供すること。【解決手段】  多数の繊維を多数束ねて成るブラシ部1と、このブラシ部1を対象面に接触させて操作する把手部2とを有する塗布具であって、前記把手部2には、高周波のインパルス電圧が入力したとき当該入力周波数に応じて超音波振動を励起する圧電素子３と；この圧電素子３に対しインパルス電圧を出力するインパルス発生器４と；このインパルス発生器４の電源５とが内蔵されており、前記圧電素子３の発生する超音波振動が前記ブラシ部１に伝達することによってブラシ部１に含浸された塗布剤を塗布対象の表面に超音波によって浸透定着せしめるように構成するという技術的手段を採用した。【選択図】  図１
2006192074.tif 000002
【特許請求の範囲】
【請求項１】
多数の繊維を束ねて成るブラシ部1と、このブラシ部1を対象面に接触させて操作する把手部2とを有する塗布具であって、
前記把手部2には、高周波のインパルス電圧が入力したとき当該入力周波数に応じて超音波振動を励起する圧電素子３と；この圧電素子３に対しインパルス電圧を出力するインパルス発生器４と；このインパルス発生器４の電源５とが内蔵されており、前記圧電素子３の発生する超音波振動が前記ブラシ部１に伝達することによってブラシ部１に含浸された塗布剤を塗布対象の表面に超音波振動によって浸透定着せしめるように構成したことを特徴とする超音波振動式塗布具。
【請求項２】
インパルス発生器４が、インパルス電圧に対して任意の変調制御を加えるコントローラ４１を備えていることを特徴とする請求項１に記載の超音波振動式塗布具。
【請求項３】
圧電素子３が、セラミック積層圧電素子であることを特徴とする請求項１または２に記載の超音波振動式塗布具。
【請求項４】
ブラシ部１の全体若しくは一部が、馬毛であることを特徴とする請求項１〜３の何れか一つに記載の超音波振動式塗布具。
【請求項５】
ブラシ部１が、多数の繊維を穂状に束ねて筆先を形成して成ることを特徴とする請求項１〜４の何れか一つに超音波振動式塗布具。
【請求項６】
ブラシ部１が、多数の繊維の先端を大略半球状に揃えるようにして束ねて成ることを特徴とする請求項1〜４の何れか一つに記載の超音波振動式塗布具。
【請求項７】
ブラシ部１が、多数の繊維の先端が略面状に並んで束ねて成ることを特徴とする請求項１〜４の何れか一つに記載の超音波振動式塗布具。
【発明の詳細な説明】
【技術分野】
【０００１】
本発明は、塗布用のブラシの改良、更に詳しくは、ブラシ部に超音波振動を与え、このブラシ部の超音波振動を巧みに利用して当該ブラシ部に含浸された塗布剤を塗布対象の表面に浸透させて定着させることができる超音波振動式塗布具に関するものである。
【背景技術】
【０００２】
従来、毛筆や絵筆、あるいは美容に使用する化粧筆など塗布用のブラシにおいては、ブラシを手先で操作して塗布剤を塗布対象の表面に塗り付けていた。しかし、塗布の対象となる表面は一様でなく、その対象表面に対して手先の操作だけでは塗布剤を浸透定着させることが難しかったため、満足な状態に仕上げることは困難であった。
【０００３】
ちなみに従来、手筆や絵筆については筆跡の掠れができないようにするために、墨汁が入ったタンクを内蔵し、塗布時においてそのタンク内の墨汁を必要な分だけ筆先に滲出させる毛筆ペンが知られている（特許文献１参照）。
【０００４】
しかし、かかる毛筆ペンは、墨汁を筆先に含浸させ、紙へと塗着させることはできるものの、塗布対象表面に塗着した墨汁は専ら紙の自然的な吸収性のみに依存し、紙面に塗着された墨汁が、どのような状態に紙面に拡展して浸透定着するかについては成り行き任せであった。このため、浸透しきれなかった墨汁は塗布した表面上に過剰に残ってしまい、その結果、それが原因で文字や絵の表面が膨らんだりテカついたりして、仕上がりが見苦しくなり易かった。  
【０００５】
また、従来の化粧ブラシにあっては、化粧剤を筆先に付着含浸させるために、筆先に使用する繊維を加工して、化粧剤の筆先への付着含浸効果を高めた化粧筆が知られている（特許文献２参照）。
【０００６】
しかし、この化粧筆を使用しても化粧剤を単に皮膚に撫で付けるだけであるため、化粧剤を皮膚に浸透させて定着せしめる効果は殆どなく、皮膚に対する化粧剤の乗りは良好と言えなかった。
【特許文献１】特開２００３−１３６８８２号公報    （第２−４頁、第１−２図）
【特許文献２】特開２００１−２３８号公報    （第２−３頁、第１−５図）
【発明の開示】
【発明が解決しようとする課題】
【０００７】
本発明は、従来の塗装ブラシの上記の如き問題に鑑みて為されたものであり、その目的とするところは、ブラシ部に超音波振動を与え、このブラシ部の超音波振動を巧みに利用して当該ブラシ部に含浸された塗布剤を塗布対象の表面に浸透させて定着させることができる超音波振動式塗布具を提供することにある。
【課題を解決するための手段】
【０００８】
本発明者が、上記課題を解決するために採用した手段を添付図面を参照して説明すれば次のとおりである。
【０００９】
即ち、本発明は、多数の繊維を多数束ねて成るブラシ部1と、このブラシ部1を対象面に接触させて操作する把手部2とを有する塗布具であって、
前記把手部2には、高周波のインパルス電圧が入力したとき当該入力周波数に応じて超音波振動を励起する圧電素子３と；この圧電素子３に対しインパルス電圧を出力するインパルス発生器４と；このインパルス発生器４の電源５とが内蔵されており、前記圧電素子３の発生する超音波振動が前記ブラシ部１に伝達することによってブラシ部１に含浸された塗布剤を塗布対象の表面に超音波によって浸透定着せしめるように構成するという技術的手段を採用した点に特徴がある。
【００１０】
また、本発明は、上記課題を解決するために、必要に応じて上記手段に加え、インパルス発生器４にインパルス電圧に対して任意の変調制御を加えるコントローラ４１を採用することができる。
【００１１】
また、本発明は、上記課題を解決するために、必要に応じて上記手段に加え、圧電素子３として、セラミック積層圧電素子という技術的手段を採用することができる。
【００１２】
また、本発明は、上記課題を解決するために、必要に応じて上記手段に加え、ブラシ部１の全体若しくは一部を、馬毛にするという技術的手段を採用することができる。
【００１３】
また、本発明は、上記課題を解決するために、必要に応じて上記手段に加え、多数の繊維を穂状に束ねて筆先を形成してブラシ部１を構成にするという技術的手段を採用することができる。
【００１４】
また、本発明は、上記課題を解決するために、必要に応じて上記手段に加え、多数の繊維の先端が大略半球状に揃えるように束ねてブラシ部１を構成するという技術的手段を採用することができる。
【００１５】
また、本発明は、上記課題を解決するために、必要に応じて上記手段に加え、多数の繊維の先端が略面状に並んで束ねてブラシ部１を構成するという技術的手段を採用することができる。
【発明の効果】
【００１６】
本発明の超音波振動式塗布具においては、塗布剤を含浸したブラシ部が塗布対象の表面上に対して微細に高周波にて上下振動し、ブラシ部の繊維先端で塗布剤を塗布対象の表面に押し込み、効果的かつ適切に塗布剤を浸透定着せしめる。これにより、満足のいく仕上がりとなる。
【００１７】
具体的に本発明の塗布具が書道筆であれば、塗布された墨汁を紙の空隙に押し込むことができるため、書いた文字の表面が盛り上がったり、テカついたりすることはなくなる。
【００１８】
また塗布具がチークブラシであれば、チークパウダーを皮膚上の汗腺や毛穴に押し込むことができるため、パウダーがしっかりと頬に乗り、その化粧持ちは格段に良くなる。したがって、本発明の実用的利用価値は頗る高い。
【発明を実施するための最良の形態】
【００１９】
本発明の実施形態を具体的に図示した図面に基いて更に詳細に説明すると次のとおりである。
【００２０】
［実施例１］
本発明の実施例１の説明を図１及び図２に基いて説明する。本実施例では、書道に用いる毛筆が例示される。
【００２１】
図１において、符号１で指示するものは、先端が鋭い多数の繊維から成るブラシ部であり、このブラシ部１は繊維群を穂状に束ねられている。
【００２２】
加えて本実施例では、ブラシ部１を構成する繊維に柔軟性と保汁性が求められるところから馬毛とイタチ毛とを混合して使用する。
【００２３】
符号２で指示するものは把手部であり、この把手部２には木製の中空パイプを用いる。
【００２４】
符号３で指示するものは超音波振動を励起する圧電素子であり、この圧電素子３にはコンパクトで消費電力の小さいセラミック積層圧電素子を採用している。
【００２５】
符号４で指示するものは高周波のインパルス電圧を出力するインパルス発生器であり、このインパルス発生器４はコントロ−ラ４１を備えた発振回路として構成されている。
【００２６】
符号５で指示するものは前記インパルス発生器４に電力を供給する電源であり、本実施例では、電源５として出力３Ｖの一次電池（コイン型リチウム電池）を用いている。
【００２７】
符号６で示されるものは、前記電源５の電力供給において、その開始と終了をＯＮ／ＯＦＦの切り換えで操作する切換スイッチである。
【００２８】
しかして、本実施形態における毛筆具を構成するにあたっては、ブラシ部１と把手部２を対象面に接触させて操作できるよう直列的に真っ直ぐに接続し、この把手部２には圧電素子３とインパルス発生器４と電源５とが内蔵される。
【００２９】
次いで、把手部２内において、圧電素子３を振動がブラシ部１に効率的に伝動するように伝導リング３１を介して前記ブラシ部１と接続する。そして、圧電素子３とインパルス発生器４及びにこのインパルス発生器４と電源５を導線５１にて接続する。そして電源５には、把手部２の外側部分でＯＮ／ＯＦＦ操作ができるよう切換スイッチ６を付設する（図１参照）。
【００３０】
次に、実施例の毛筆の使用手順を図２に基いて以下に説明する。
【００３１】
まず、使用を開始する前に、本実施形態品の把手部２を把持し、切換スイッチをＯＮに切り換える。
【００３２】
このとき把手部２内部では、電源５がインパルス発生器４に直流電圧（例えば、３Ｖ）を供給し、インパルス発生器４は前記直流電圧を高周波（例えば、１．９ＭＨｚ）のインパルス電圧に変換して圧電素子３へと出力する。
【００３３】
かくして、圧電素子３は、前記インパルス電圧の周波数に応じて微細に（例えば、振幅０．５μｍ）振動し、ブラシ部１は前記高周波振動の伝達を受けて超音波振動する。
【００３４】
実施例1の毛筆の使用については、上記の過程によって超音波振動しているブラシ部１を墨汁に浸して含浸させ、墨汁を含浸したブラシ部１を画箋紙に押し当てていつもどおり書画すれば良い。
【００３５】
ちなみに、墨汁が画箋紙表面に思うように浸透定着しない場合には、コントローラ４１を使って墨汁及び画箋紙の浸透性質に応じた適切な周波数の超音波振動に調整する。
【００３６】
そして、当該毛筆の使用を終了するときは切換スイッチをＯＦＦに戻す。
【００３７】
［実施例２］
実施例２の説明を図３及び図４に基いて説明する。本実施例は、化粧に用いるチークブラシを構成する。
【００３８】
本実施形態では、ブラシ部１の繊維に繊細な毛先を持つ灰リス毛を使用し、この繊維先端が大略半球状に揃うようにブラシ部１を束ねている（図３参照）。
【００３９】
次に、本実施例のチークブラシの使用手順を図４に基いて以下に説明する。
【００４０】
まず本実施形態品の電源を入れた後、超音波振動しているブラシ部１にチークパウダーを付着含浸させる。そして、ブラシ部１を優しく頬に押し当てパウダーを皮膚に乗せる。このとき、ブラシ部１の繊維先端が皮膚に対して垂直に当たるようにブラシ部１を操作するとより浸透定着の効果が増す（図４参照）。
【００４１】
本発明は、概ね上記のように構成されるが、本発明は、図示の実施形態に限定されるものでは決してなく、「特許請求の範囲」の記載内において種々の変更が可能であって、例えば、ブラシ部１が、繊維に穴熊毛を使用したシェービングブラシであって良く、また、調理用のベイティングブラシ（図５参照）や、糊刷毛のように繊維先端が略面状に並んで束ねられたものとしても適用可能であり、これらの適用例は何れも、本発明の技術的範囲に属する。
【００４２】
加えて、ブラシ部１の繊維には上記の実施例に挙げたものだけでなく、先端が鋭くかつ柔軟性及び吸水性の高い材質であれば他の動物繊維（例えば、山羊毛）や化学繊維（例えば、ナイロン毛）などを用いても良く、これら何れの変形例も本発明の技術的範囲に属することは云うまでもない。
【図面の簡単な説明】
【００４３】
【図１】本発明の実施例1における斜視図である。
【図２】本発明の実施例1における使用状態を表わす説明図である。
【図３】本発明の実施例2における斜視図である。
【図４】本発明の実施例2における使用状態の説明図である。
【図５】本発明の変形例における使用状態の説明図である。
【符号の説明】
【００４４】
１  ブラシ部
２  把手部
３  圧電素子
３１  伝導リング
４  インパルス発生器
４１  コントロ−ラ
５  電源
５１  導線
６  スイッチ
【図１】
2006192074.tif 000003
【図２】
2006192074.tif 000004
【図３】
2006192074.tif 000005
【図４】
2006192074.tif 000006
【図５】
2006192074.tif 000007